(57)【要約】      （修正有）【課題】情報処理システムとテレビジョンの表示装置とを１つにまとめるモジュール方式の表示システムおよび方法を提供する。【解決手段】表示モジュールと外部インターフェースモジュールを、注文に応じて組立てて表示装置を完成させる。この表示モジュールは、単一のＬＶＤＳおよび単一のオーディオインターフェースを収容する表示モジュールハウジング内において組立てられた表示パネル、タイミング制御装置およびスピーカ部品を有している。外部インターフェースモジュールは表示モジュールハウジングに結合して、一体型表示システムを形成する。表示システムを複数のタイプの外部インターフェースモジュールから選択的に組立てることにより、注文組立て製造プロセスにおいて購入者の注文を満足させるような、種々のテレビジョンおよび情報処理システム表示機能を有する表示システムの選択的な構成が可能になる。【選択図】図２
2006246439.tif 000002
【特許請求の範囲】
【請求項１】
切取り部分を有する表示モジュールハウジングと、
表示モジュールハウジング内に配置され、行および列で構成された画素として可視情報を提供するように動作可能である表示パネルと、
表示モジュールハウジング内に配置され、表示パネルとインターフェースされ、可視情報を行および列に通信するように動作可能であるタイミング制御装置と、
表示モジュールハウジングと関連しており、オーディオ情報を音として提供するように動作可能であるスピーカと、
一体型装置として切取り部分に適合する寸法にされた外部インターフェースモジュールハウジングとを備えており、外部インターフェースモジュールは、タイミング制御装置とインターフェースするように切取り部分に近接して位置されている単一の可視情報インターフェースと、スピーカとインターフェースするように切取り部分に近接して位置されている単一のオーディオ情報インターフェースとを有しており、
前記外部インターフェースモジュールは外部インターフェースモジュールハウジング内に配置され、外部可視情報を受信してその可視情報を単一の可視情報インターフェースに通信するように動作可能な外部可視インターフェースコンポーネントと、外部オーディオ情報を受信してそのオーディオ情報を単一のオーディオ情報インターフェースに通信するように動作可能な外部オーディオインターフェースコンポーネントとを有している視聴覚情報を提供するシステム。
【請求項２】
さらに、表示モジュールハウジング内に配置され、電力を表示パネルと、タイミング制御装置と、スピーカとに供給するように動作可能な電源と、
表示モジュールハウジング内の切取り部分に配置され、電力を電源から外部インターフェースモジュールに供給するように動作可能な電力インターフェースとを備えている請求項１記載のシステム。
【請求項３】
外部可視インターフェースコンポーネントはテレビジョン同調器を含んでいる請求項１記載のシステム。
【請求項４】
外部可視インターフェースコンポーネントはコンポーネントビデオ処理コンポーネントを含んでいる請求項１記載のシステム。
【請求項５】
外部可視インターフェースコンポーネントはＤＶＩコンポーネント処理コンポーネントを含んでいる請求項１記載のシステム。
【請求項６】
単一の可視情報インターフェースはＬＶＤＳインターフェースを備えている請求項１記載のシステム。
【請求項７】
外部可視インターフェースコンポーネントは、テレビジョン同調器、コンポジットビデオコンポーネント、Ｓビデオコンポーネント、およびコンポーネントビデオコンポーネントのグループからシステムの購入者によって選択された１以上のコンポーネントを含んでいる請求項１記載のシステム。
【請求項８】
可視インターフェースコンポーネントはさらに、ＶＧＡコンポーネントおよびＤＶＩコンポーネントのグループからシステムの購入者によって選択された１以上のコンポーネントを含んでいる請求項７記載のシステム。
【請求項９】
表示パネルはＬＣＤパネルである請求項１記載のシステム。
【請求項１０】
表示パネルはプラズマディスプレイである請求項１記載のシステム。
【請求項１１】
表示モジュールハウジングに関連した表示パネル、タイミング制御装置およびスピーカを有する表示モジュールを製造し、
複数の選択可能な外部インターフェースを備えた表示装置を購入者に提供し、
１以上の外部インターフェースの選択結果をその購入者から受信し、
購入者によって選択された外部インターフェースを有する外部インターフェースモジュールを製造し、
購入者の選択に応答して外部インターフェースモジュールおよび表示モジュールを組立て、
その組立て構造を購入者に出荷するステップを含んでいる可視およびオーディオ情報を提供するように動作可能である表示装置を構成する方法。
【請求項１２】
さらに、電源を表示モジュールと共に組立て、
外部インターフェースモジュールを電源とインターフェースするステップを含んでいる請求項１１記載の方法。
【請求項１３】
購入者の選択に応答して外部インターフェースモジュールおよび表示モジュールを組立てるステップはさらに、
外部インターフェースモジュールを複数のタイプの外部インターフェースモジュールの商品目録から選択し、
外部インターフェースモジュールを表示モジュールの切取り部分に適合させて一体型表示装置を形成するステップを含んでいる請求項１１記載の方法。
【請求項１４】
さらに、購入者から故障報告を受取り、
交換用の外部インターフェースモジュールをその購入者に出荷してその購入者がそれを表示モジュールの切取り部分に適合するステップを含んでいる請求項１３記載の方法。
【請求項１５】
表示パネルはＬＣＤパネルを含んでいる請求項１４記載の方法。
【請求項１６】
表示パネルはプラズマパネルを含んでいる請求項１４記載の方法。
【請求項１７】
複数のタイプの外部インターフェースモジュールの商品目録には、テレビジョン同調器コンポーネント、コンポジットビデオコンポーネント、Ｓビデオコンポーネントおよびコンポーネントビデオコンポーネントの種々の組合せを有するモジュールが含まれている請求項１３記載の方法。
【請求項１８】
複数のタイプの外部インターフェースモジュールの商品目録には、ＶＧＡコンポーネントおよびＤＶＩコンポーネントの種々の組合せを有するモジュールが含まれている請求項１３記載の方法。
【請求項１９】
複数のタイプの外部インターフェースモジュールの商品目録には、テレビジョン同調器コンポーネント、コンポジットビデオコンポーネント、Ｓビデオコンポーネント、コンポーネントビデオコンポーネント、ＶＧＡコンポーネントおよびＤＶＩコンポーネントの種々の組合せを有するモジュールが含まれている請求項１３記載の方法。
【請求項２０】
外部インターフェースモジュールと表示モジュールを組立てるステップはさらに、単一のＬＶＤＳインターフェースによってタイミング制御装置を外部インターフェースと接続するステップを含んでいる請求項１９記載の方法。
【発明の詳細な説明】
【技術分野】
【０００１】
本発明は、一般に、情報処理システムの表示装置の分野に関し、とくに、モジュール方式のコンポーネントにより情報を表示するためのシステムおよび方法に関する。
【背景技術】
【０００２】
情報の価値および使用は増加し続けているため、個人および企業は情報を処理し、記憶する付加的な手段を探し求めている。ユーザが利用可能な１つのオプションは情報処理システムである。情報処理システムは一般に、企業、個人またはその他の目的のために情報またはデータの処理、コンパイル、記憶および、または通信を行ない、それによってユーザがその情報の価値を利用することを可能にする。テクノロジーおよび情報処理の必要性ならびに要求はユーザまたは用途によって異なるため、情報処理システムもまた、処理される情報の種類、情報の処理方法、処理、記憶または通信される情報の量、および情報の処理、記憶または通信がどれだけ迅速かつ効率的に行われることができるかに関して異なったものとなる。情報処理システムはそのバリエーションのために多様に使用されることができ、あるいは特定のユーザに対して、あるいは金融取引処理、航空券の予約、企業データの記憶またはグローバルな通信のような特定の使用に対して構成されることができる。さらに、情報処理システムは、情報を処理し、記憶し、通信するように構成されることのできる種々のハードウェアおよびソフトウェアコンポーネントを含むことが可能であると共に、１以上のコンピュータシステム、データ記憶システム、およびネットワークシステムを含むことができる。
【０００３】
情報処理システムはしばしば、情報の通信、印刷、表示またはその他の処理を行うために多数の周辺機器と対話する。たとえば、陰極線管（ＣＲＴ）および、とくに、液晶表示装置（ＬＣＤ）およびプラズマディスプレイのようなフラットパネル表示装置は、情報処理システムによって発生されてＶＧＡまたはＤＶＩケーブルのような標準化ケーブルによって表示装置に通信された情報を提供する。過去において、情報処理システムは典型的に表示情報を通常のテレビジョンで利用可能なものより高い解像度で発生していた。しかしながら、高解像度テレビジョン（ＨＤＴＶ）の出現が情報処理システムの表示技術とテレビジョン表示技術を１つにまとめた。情報処理システムの表示装置で見られる同じ技術の多くのものでデジタル的に表現される情報を提供するフラットパネルＬＣＤおよびプラズマテレビジョンは今や一般的に入手可能である。しかしながら、フラットパネルテレビジョンは典型的に、情報を処理して表示する高度に統合されたアーキテクチャを有している。その結果、フラットパネルテレビジョンは、そのテレビジョン発表後の規格の発達に合わせる融通性がほとんど無い状態でその時点で最新の表示性能、放送および結合性の規格に組立てられる。さらに、テレビジョン故障に対して、ユーザは典型的にその故障の修理を試みるのではなく、むしろ更新されたシステム性能を有する新しいテレビジョンを購入することにより対処する。対照的に、情報処理システムの表示装置は、高品質な表示を生成するために情報処理システムによる処理に依存する傾向があり、故障しにくい。それ故、フラットパネル情報処理システムの表示装置とフラットパネルテレビジョンとの間の類似性にもかかわらず、情報処理システムの表示装置は典型的にテレビジョンコンポーネントを統合しない。
【０００４】
情報処理システム産業では、テレビジョンコンポーネントを情報処理システムの表示装置と統合し、その表示装置を通じてテレビジョン機能を提供するためにいくつかの努力がなされている。情報処理システムの表示装置によるテレビジョン信号の表示は、一例として、情報処理システムのＴＶカードによりその信号を変換することによって行われる。しかしながら、変換された信号は、変換プロセス中に導入された混信のために低い品質を有する傾向がある。別の利用可能な解決方法は、別々のアドオンモジュールにより情報処理システムの表示装置にテレビジョン機能を追加し、あるいはその逆を行う試みである。たとえば、Ｓａｍｓｕｎｇ社は、表示装置が異なった放送規格を満足させることを可能にするために同期マスターＴＦＴ  ＬＣＤとインターフェースするモジュール方式テレビジョン同調器を提供している。別の例は、市販のプラズマディスプレイへのビデオ入力を可能にするパイオニアＰＤＡ５００２ビデオオプションカードである。ＡｖｅｒＭｅｄｉａ社は、情報処理システムにより、あるいは情報処理システムによらずにプラグ・アンド・プレイマルチメディア娯楽センターとしてＴＶ機能を提供するためにＬＣＤモニタとインターフェースする別個のボックスを販売している。Ｓｃｉｅｎｔｉｆｉｃ  Ａｔｌａｎｔａ社のようなテレビジョン製造業者は、情報処理システムインターフェースをテレビジョンに追加する試みを行っており、テレビジョン信号を供給するためにテレビジョンまたは表示装置をケーブルとインターフェースするセットトップボックスを販売している。これらの各解決方法は、情報処理システムとテレビジョン表示装置とを１つにまとめるが、それは少しずつしか行われず、また、個別のコンポーネントにインターフェースするときにユーザを混乱させることが多い。
【発明の開示】
【発明が解決しようとする課題】
【０００５】
したがって、統合されたモジュール方式のアーキテクチャにより情報処理システムとテレビジョンの表示装置とを１つにまとめるシステムおよび方法が必要とされている。
【課題を解決するための手段】
【０００６】
本発明によると、従来のシステムおよび方法に関連した欠点および問題を実質的に減少させ、情報処理システムの表示装置がテレビジョン情報を提供することを可能にするシステムおよび方法が提供される。購入者が表示システムに対する所望の外部視聴覚インターフェースを選択することができるように、表示システムは表示モジュールと個別の外部インターフェースモジュールから組立てられる。複数のタイプの外部インターフェースモジュールはそれぞれ視聴覚情報を共通の単一のオーディオ信号および共通の単一の可視信号に変換し、その結果、所望の外部インターフェースを有する外部インターフェースモジュールを組立てることにより、表示システムは外部インターフェースで受取られた情報を提供するように構成される。
【０００７】
とくに、表示システムは、所望のテレビジョン外部インターフェースおよび、または情報処理システムの外部インターフェースをサポートするように注文に応じて組立てられる。複数のタイプの外部インターフェースモジュールは、各タイプが選択された複数の外部インターフェースをＬＶＤＳのような共通のフォーマットに変換するように構成されている。たとえば、外部インターフェースは、アナログおよび、またはデジタルテレビジョン同調器、コンポジットビデオ、Ｓビデオ、コンポーネントビデオ、ＶＧＡ、ＤＶＩおよびオーディオインターフェースからなるグループから選択される。購入者は表示システムに対する所望の外部インターフェースを選択し、この表示システムは、その購入者により選択されたインターフェースに関連した外部インターフェースモジュールのそのタイプのものを表示モジュールに組立てて隣接した表示システムを形成することにより製造される。したがって、同じ表示モジュールは、外部インターフェースモジュール中に含まれている機能に基づいてテレビジョンまたは情報処理システムの機能を行うように構成されることができる。購入者への配送後に外部インターフェースモジュールが故障した場合、表示システム全体を交換する代りに、交換用の外部インターフェースモジュールが交換装置として送られる。
【０００８】
本発明はいくつかの重要な技術的利点を提供する。重要な技術的利点の一例は、フラットパネル表示装置が地域的および取引時期的融通性のために選択的に構成され、それによって多数の市場および製品層がサポートされることである。適切な外部インターフェースモジュールを選択することにより、ユーザの注文に応じて組立てられる構成が可能となり、その結果ユーザ体験が改善され、製造費用が減少する。コンポーネントの故障または表示装置の故障は外部インターフェースモジュールまたはフラットパネル表示装置を適宜交換することにより個別に管理され、故障したシステムの修理に関連した費用が減少する。フラットパネル表示装置は、外部インターフェースモジュールおよび、またはフラットパネル表示装置で製品層の間ならびに世代間をつなぐことにより最新の表示性能、放送規格および結合性構成で設計されて製造される。
【発明を実施するための最良の形態】
【０００９】
添付図面を参照することにより、本発明がさらによく理解され、その種々の目的、特徴および利点が当業者に明らかになるであろう。なお、いくつかの図面において、同じ参照符号が同じまたは類似したコンポーネントを示している。  
テレビジョンと情報処理システムの表示装置は、個別の表示コンポーネントおよび外部インターフェースコンポーネントを一体型表示システムに組立てるモジュール方式組立て構造によって１つにまとめられ、この一体型表示システムは、テレビジョンまたは情報処理システムの表示機能をそれが備えている外部インターフェースコンポーネントに基づいて選択的にサポートするものである。これを開示するために、情報処理システムは、取引、科学、制御またはその他の目的のために任意の形態の情報、インテリジェンスまたはデータの計算、分類、処理、送信、受信、検索、発生、切替え、記憶、表示、宣言、検出、記録、再生、統御または使用を行うように動作可能である任意の手段または手段の集りを含むことができる。たとえば、情報処理システムは、パーソナルコンピュータ、ネットワーク記憶装置または任意の他の適当な装置であることが可能であり、また、そのサイズ、形状、性能、機能および価格はさまざまであってよい。情報処理システムはランダムアクセスメモリ（ＲＡＭ）、中央処理装置（ＣＰＵ）あるいはハードウェアまたはソフトウェア制御論理手段のような１以上の処理リソース、ＲＯＭおよび、またはその他のタイプの不揮発性メモリを備えていてもよい。情報処理システムの付加的なコンポーネントには、キーボード、マウスおよびビデオディスプレイのような種々の入出力（Ｉ／Ｏ）装置だけでなく、１以上のディスクドライブや、外部装置と通信するための１以上のネットワークポートもまた含まれることができる。情報処理システムはまた、種々のハードウェアコンポーネント間において通信を送るように動作可能である１以上のバスを備えていることができる。
【００１０】
図１Ａおよび図１Ｂを参照すると、表示モジュール12と、これから分離されている外部インターフェースモジュール14とを有する表示システム10が示されており、この表示モジュール12と外部インターフェースモジュール14が所望のテレビジョンおよび、または情報処理システムの表示機能を有する一体型装置として組立てられる。表示モジュール12は情報の可視表示を生成するコンポーネントを備えており、一方外部インターフェースモジュール14は情報処理システムまたはテレビジョン信号のような外部ソースから可視情報を受取り、可視イメージを生成するように表示モジュールに対して可視情報を提供するコンポーネントを備えている。表示システム10によってサポートされるタイプの外部インターフェースは、所望の外部信号を受信するための外部装置インターフェース16および関連した部品を有する外部インターフェースモジュール14を選択することにより構成される。外部インターフェースモジュール14は、低電圧の差信号（ＬＶＤＳ）のような単一の共通した可視情報インターフェース18および単一のオーディオ情報インターフェース20に可視情報を変換する。表示モジュール12は切取り部分24を備えたハウジング22を有しており、この切取り部分24は、外部インターフェースモジュール14のハウジング26を収容する寸法にされている。外部インターフェースモジュールのハウジング26は切取り部分24に適合し、図１Ｂに示されているように隣接装置として表示モジュールハウジング22に結合する。
【００１１】
表示システム10は、選択された外部インターフェースを備えた外部インターフェースモジュール14を選択することにより複数の外部インターフェースの選択されたものをサポートする。注文に応じて組立てられた構成の表示システム10は、テレビジョン同調器、コンポジット、ＳビデオまたはコンポーネントインターフェースのようなテレビジョンインターフェースとＶＧＡまたはＤＶＩインターフェースのような情報処理システムインターフェースとの種々の組合せのような複数の異なった外部インターフェースセットを購入者に提供することによりサポートされる。異なったタイプの外部インターフェースモジュール14は、外部インターフェースのそれぞれの利用可能な組合せをサポートするように構成される。外部インターフェースを選択した顧客の表示システム10に対する購入注文が受信されたとき、選択された外部インターフェースをサポートする外部インターフェースモジュール14が表示モジュール12に組立てられ、“注文に応じて組立てられた”表示システム10が購入者に出荷される。たとえば、購入者がテレビジョンだけを希望した場合、表示システム10は、同調器コンポーネント、コンポジットビデオコンポーネント、Ｓビデオコンポーネントおよび、またはコンポーネントビデオコンポーネントの種々の組合せのような購入者により選択可能なテレビジョン外部インターフェースコンポーネントを有する外部インターフェースモジュール14により構成される。購入者が情報処理システム表示装置だけを希望した場合、表示システム10は、ＶＧＡおよび、またはＤＶＩコンポーネントの種々の組合せのような購入者により選択可能な情報処理システム外部インターフェースコンポーネントを有する外部インターフェースモジュール14により構成される。その代りに、テレビジョンおよび情報処理システムコンポーネントの種々の組合せを有する外部インターフェースモジュールを選択することにより、表示システム10はテレビジョンおよび情報処理システムの両方の表示装置として選択可能に構成されることができる。表示システムが故障した場合、購入者は、既存の外部インターフェースモジュールに代わる類似の構成を有する交換用の外部インターフェースモジュール14を送られるだけである。
【００１２】
次に図２を参照すると、分離した表示モジュール12および外部インターフェースモジュール14を有する表示システム10の１実施形態の機能ブロック図が示されている。表示モジュール12は、行および列に構成された複数の画素28を有する表示パネル26で可視情報を提供し、スピーカ30でオーディオ情報を提供する。このスピーカ30は表示モジュールハウジング中に統合されてもよいし、あるいは延長ワイヤ接続によるような取外し可能なものであってもよい。表示パネル26はインバータ34により給電されるバックライト32によって照明されるＬＣＤパネルである。もっとも、別の実施形態においては、表示パネル26はプラズマパネルである。タイミング制御装置ＴＣＯ36は行および列の画素28を照明して、ＬＶＤＳフォーマットでの可視情報のような可視情報インターフェース18により与えられた可視情報にしたがって可視イメージを提供する。電源38は電力を供給して、制御盤40の管理下でフロントパネルインターフェース42からのユーザ入力に応答して表示モジュール12のコンポーネントを動作させる。たとえば、フロントパネルインターフェース42のＩＲ受信機により遠隔制御装置から捕捉されたコマンドおよび制御情報は、制御盤40からマイクロ制御装置20に供給される。したがって、表示モジュール12は、単一の可視情報インターフェース18により可視情報を提供し、単一のオーディオ情報インターフェース20によりオーディオ情報を提供するのをサポートするコンポーネントを備えているが、しかし、種々のテレビジョンまたは情報処理システムのフォーマットで可視情報を受取るための“インテリジェンス”はない。
【００１３】
外部インターフェースモジュール14は、表示モジュールに組立てられる外部インターフェースモジュールの構成に基づいて複数のタイプの視聴覚情報の選択されたものを受取るための“インテリジェンス”を表示モジュール12に提供する。図２により示されている実施形態においては、外部インターフェースモジュール14によりサポートされている外部装置インターフェース16は、同調器44、コンポジットビデオ46、Ｓビデオ48およびコンポーネントビデオ50のテレビジョンインターフェースと、ＶＧＡ52、ＤＶＩ54の情報処理システムインターフェースと、および個々のオーディオ入力56とを備えている。別の実施形態においては、外部インターフェースモジュール14は、図２により示されている外部装置インターフェースの所望のものまたは別の外部装置インターフェースをサポートするように選択可能に構成されることができる。同調器44、コンポジットビデオ46およびＳビデオ48からのアナログテレビジョン信号のようなアナログ可視信号は、ビデオデコーダ58およびビデオデインターレーサ60に供給されて、スケーラ（ｓｃａｌａｒ）62によって可視情報に変換される。高解像度のテレビジョン同調器44、コンポーネントビデオ50、ＶＧＡ52およびＤＶＩ54からのもののようなデジタル可視信号は、直接あるいはアナログデジタル変換器66を通って適宜スケーラ62に供給される。スケーラ62は、各タイプの外部インターフェースモジュール14に対してＬＶＤＳのような単一の可視情報出力を生成して、表示モジュール12との適合性を保証する。オーディオ信号はオーディオプロセッサ64およびオーディオ増幅器68に供給されて単一のオーディオ信号出力を生成し、このオーディオ信号出力はオーディオ適合性のためにスピーカ30により使用されることができる。マイクロ制御装置70は、電源38からの電力の供給および制御盤40からのユーザ入力の変換のような外部インターフェースモジュール14のコンポーネントの動作を管理する。選択されたコンポーネントにより外部視聴覚情報を単一の共通したビデオおよび単一の共通したオーディオ信号に変換することにより、外部インターフェースモジュール14は、テレビジョンおよび、または情報処理システムの使用のために表示モジュールが選択的に構成されることを可能にする。
【００１４】
本発明を詳細に説明してきたが、添付された特許請求の範囲により規定される本発明の技術的範囲を逸脱することなく種々の変更、置換および修正が可能であることを認識すべきである。
【図面の簡単な説明】
【００１５】
【図１Ａ】組立てのために整列された表示モジュールおよび外部インターフェースモジュールの概略斜視図。
【図１Ｂ】一体型装置として組立てられた表示モジュールおよび外部インターフェースモジュールの概略斜視図。
【図２】表示モジュールおよび外部インターフェースモジュールの１実施形態の機能ブロック図。
【図１Ａ】
2006246439.tif 000003
【図１Ｂ】
2006246439.tif 000004
【図２】
2006246439.tif 000005
【手続補正書】
【提出日】平成18年2月10日(2006.2.10)
【手続補正１】
【補正対象書類名】明細書
【補正対象項目名】００１２
【補正方法】変更
【補正の内容】
【００１２】
次に図２を参照すると、分離した表示モジュール12および外部インターフェースモジュール14を有する表示システム10の１実施形態の機能ブロック図が示されている。表示モジュール12は、行および列に構成された複数の画素28を有する表示パネル26で可視情報を提供し、スピーカ30でオーディオ情報を提供する。このスピーカ30は表示モジュールハウジング中に統合されてもよいし、あるいは延長ワイヤ接続によるような取外し可能なものであってもよい。表示パネル26はインバータ34により給電されるバックライト32によって照明されるＬＣＤパネルである。もっとも、別の実施形態においては、表示パネル26はプラズマパネルである。タイミング制御装置ＴＣＯ36は行および列の画素28を照明して、ＬＶＤＳフォーマットでの可視情報のような可視情報インターフェース18により与えられた可視情報にしたがって可視イメージを提供する。電源38は電力を供給して、制御盤40の管理下でフロントパネルインターフェース42からのユーザ入力に応答して表示モジュール12のコンポーネントを動作させる。たとえば、フロントパネルインターフェース42のＩＲ受信機により遠隔制御装置から捕捉されたコマンドおよび制御情報は、制御盤40からマイクロ制御装置70に供給される。したがって、表示モジュール12は、単一の可視情報インターフェース18により可視情報を提供し、単一のオーディオ情報インターフェース20によりオーディオ情報を提供するのをサポートするコンポーネントを備えているが、しかし、種々のテレビジョンまたは情報処理システムのフォーマットで可視情報を受取るための“インテリジェンス”はない。
【手続補正２】
【補正対象書類名】図面
【補正対象項目名】図２
【補正方法】変更
【補正の内容】
【図２】
2006246439.tif 000006
【外国語明細書】
2006246439000001.pdf